【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
印刷指示を行うためのクライアント端末と前記クライアント端末からの印刷指示に応じて印刷出力を行う複数の印刷デバイスとが、ネットワークを介して接続された印刷システムにおいて、
前記クライアント端末は、
ユーザを識別するためのユーザ識別情報を入力するための入力手段と、
前記ユーザが前記クライアント端末から印刷出力可能な印刷デバイスを識別するための印刷デバイス情報及び前記印刷デバイスとの通信を行うための通信情報を含むデバイス情報を記憶するクライアントデバイス情報記憶手段と、
前記ユーザからの印刷指示に応じて前記入力手段によって入力されたユーザ識別情報を含む印刷ジョブを形成するとともに前記クライアントデバイス情報記憶手段に記憶されたデバイス情報を前記印刷デバイスへ送信するクライアント端末送信手段と、
を備え、
前記印刷デバイスは、
前記クライアント端末送信手段によって送信された印刷ジョブ及びデバイス情報を受信する印刷デバイス情報受信手段と、
前記印刷デバイス情報受信手段によって受信したデバイス情報を前記ユーザ識別情報に対応させて記憶するデバイス情報記憶手段と、
前記印刷デバイス情報受信手段によって受信した印刷ジョブに基づいた印刷実行結果を前記ユーザ識別情報に対応させて記憶する印刷ジョブ記憶手段と、
当該印刷デバイスへのログイン時に、ユーザ識別情報を入力するログインユーザ入力手段と、
前記ログインユーザ入力手段によって入力されたユーザ識別情報に対応する前記デバイス情報記憶手段に記憶されたデバイス情報に従って、前記ユーザ識別情報に対応する印刷実行結果を当該印刷デバイスではない他の印刷デバイスへ要求する印刷実行結果要求手段と、
前記印刷実行結果要求手段によって要求し取得した印刷実行結果と自印刷デバイスの前記印刷ジョブ記憶手段から取得する前記ユーザ識別情報に対応する印刷実行結果と、を集計する集計手段と、
前記集計手段によって集計した印刷実行結果を表示する表示手段と、
を備えたことを特徴とする印刷システム。
【請求項２】
前記印刷実行結果要求手段は、前記ログインユーザ入力手段によって入力されたユーザ識別情報に対応する前記デバイス情報記憶手段に記憶されたデバイス情報から、印刷実行結果の要求を行う印刷デバイスの選択を受け付けた後、当該選択を受け付けた印刷デバイスに対して当該要求を行い、
前記集計手段は、前記印刷実行結果要求手段によって選択を受け付けた印刷デバイスに対して前記ユーザ識別情報に対応する印刷実行結果を前記印刷ジョブ記憶手段から取得した後、当該印刷実行結果を集計することを特徴とする請求項１に記載の印刷システム。
【請求項３】
前記印刷デバイスは、前記ユーザの所属する組織を示す組織情報に対応させて前記ユーザ識別情報を記憶する組織情報記憶手段を更に備え、
前記印刷実行結果要求手段は、前記ログインユーザ入力手段によって入力されたユーザ識別情報に対応する前記デバイス情報記憶手段に記憶されたデバイス情報に従って、前記ユーザ識別情報が所属する組織情報に対応する印刷実行結果を他の印刷デバイスへ要求し、
前記集計手段は、前記印刷実行結果要求手段によって要求されたユーザ識別情報に対応する組織情報を前記組織情報記憶手段から特定し、当該特定した組織情報に対応する前記ユーザ識別情報の印刷実行結果を前記印刷ジョブ記憶手段から取得した後、組織情報に対応して印刷実行結果を集計することを特徴とする請求項１または請求項２に記載の印刷システム。
【請求項４】
前記印刷デバイスは、
前記集計手段によって集計した印刷実行結果を前記クライアント端末へ送信する実行結果送信手段を更に備え、
前記クライアント端末は、
前記実行結果送信手段によって送信された印刷実行結果を受信する印刷実行結果受信手段と、
前記印刷実行結果受信手段によって受信した印刷実行結果を表示するクライアント端末表示手段と、
を備えたことを特徴とする請求項１乃至請求項３の何れか１項に記載の印刷システム。
【請求項５】
前記印刷実行結果要求手段によって、前記ログインユーザ入力手段によって入力されたユーザ識別情報に対応する前記デバイス情報記憶手段に記憶されたデバイス情報に従って、前記ユーザ識別情報に対応する印刷実行結果を他の印刷デバイスへ要求し、印刷実行結果が取得不可能な印刷デバイスに対応する前記デバイス情報記憶手段のデバイス情報を削除することを特徴とする請求項１乃至請求項４の何れか１項に記載の印刷システム。
【請求項６】
前記印刷実行結果要求手段によって、前記ログインユーザ入力手段によって入力されたユーザ識別情報に対応する前記デバイス情報記憶手段に記憶されたデバイス情報に従って、前記ユーザ識別情報に対応する印刷実行結果を他の印刷デバイスへ要求し、印刷実行結果が一定回数以上取得不可能な印刷デバイスに対応する前記デバイス情報記憶手段のデバイス情報を削除することを特徴とする請求項１乃至請求項４の何れか１項に記載の印刷システム。
【請求項７】
前記印刷実行結果要求手段によって、前記ログインユーザ入力手段によって入力されたユーザ識別情報に対応する前記デバイス情報記憶手段に記憶されたデバイス情報に従って、前記ユーザ識別情報に対応する印刷実行結果を他の印刷デバイスへ要求し、印刷実行結果が取得不可能な印刷デバイスが存在する場合は、印刷実行結果が取得不可能な印刷デバイスに対応する前記デバイス情報記憶手段のデバイス情報を削除するか否かを選択することが可能な選択手段を備えたことを特徴とする請求項５または請求項６に記載の印刷システム。
【請求項８】
ユーザがクライアント端末から印刷出力可能な印刷デバイスを識別するための印刷デバイス情報及び前記印刷デバイスとの通信を行うための通信情報を含むデバイス情報を記憶し、ユーザからの印刷指示に応じて前記ユーザのユーザ識別情報を含む印刷ジョブを形成するとともに前記デバイス情報を前記印刷デバイスへ送信するクライアント端末送信手段と、前記クライアント端末からの印刷指示に応じて印刷出力を行う複数の印刷デバイスとが、ネットワークを介して接続された印刷システムにおける印刷デバイスであって、
前記印刷デバイスは、
前記クライアント端末から送信された印刷ジョブ及びデバイス情報を受信する印刷デバイス情報受信手段と、
前記印刷デバイス情報受信手段によって受信したデバイス情報を前記ユーザ識別情報に対応させて記憶するデバイス情報記憶手段と、
前記印刷デバイス情報受信手段によって受信した印刷ジョブに基づいた印刷実行結果を前記ユーザ識別情報に対応させて記憶する印刷ジョブ記憶手段と、
当該印刷デバイスへのログイン時に、ユーザ識別情報を入力するログインユーザ入力手段と、
前記ログインユーザ入力手段によって入力されたユーザ識別情報に対応する前記デバイス情報記憶手段に記憶されたデバイス情報に従って、前記ユーザ識別情報に対応する印刷実行結果を当該印刷デバイスではない他の印刷デバイスへ要求する印刷実行結果要求手段と、
前記印刷実行結果要求手段によって要求し取得した印刷実行結果と自印刷デバイスの前記印刷ジョブ記憶手段から取得する前記ユーザ識別情報に対応する印刷実行結果と、を集計する集計手段と、
前記集計手段によって集計した印刷実行結果を表示する表示手段と、
を備えたことを特徴とする印刷デバイス。
【請求項９】
印刷指示を行うと共に、ユーザがクライアント端末から印刷出力可能な印刷デバイスを識別するための印刷デバイス情報及び前記印刷デバイスとの通信を行うための通信情報を含むデバイス情報を記憶するデバイス情報記憶手段を備えた前記クライアント端末と前記クライアント端末からの印刷指示に応じて印刷出力を行う複数の印刷デバイスとが、ネットワークを介して接続された印刷システムの制御方法において、
前記クライアント端末は、
ユーザを識別するためのユーザ識別情報を入力するための入力工程と、
前記ユーザからの印刷指示に応じて前記入力工程によって入力されたユーザ識別情報を含む印刷ジョブを形成するとともに前記デバイス情報記憶手段に記憶されたデバイス情報を前記印刷デバイスへ送信するクライアント端末送信工程と、
を実行し、
前記印刷デバイスは、
前記クライアント端末送信工程によって送信された印刷ジョブ及びデバイス情報を受信する印刷デバイス情報受信工程と、
前記印刷デバイス情報受信工程によって受信したデバイス情報を前記ユーザ識別情報に対応させて記憶するデバイス情報記憶工程と、
前記印刷デバイス情報受信工程によって受信した印刷ジョブに基づいた印刷実行結果を前記ユーザ識別情報に対応させて記憶する印刷ジョブ記憶工程と、
当該印刷デバイスへのログイン時に、ユーザ識別情報を入力するログインユーザ入力工程と、
前記ログインユーザ入力工程によって入力されたユーザ識別情報に対応する前記デバイス情報記憶工程に記憶されたデバイス情報に従って、前記ユーザ識別情報に対応する印刷実行結果を当該印刷デバイスではない他の印刷デバイスへ要求する印刷実行結果要求工程と、
前記印刷実行結果要求工程によって要求し取得した印刷実行結果と自印刷デバイスの前記印刷ジョブ記憶工程から取得する前記ユーザ識別情報に対応する印刷実行結果と、を集計する集計工程と、
前記集計工程によって集計した印刷実行結果を表示する表示工程と、
を実行することを特徴とする印刷システムの制御方法。
【請求項１０】
ユーザがクライアント端末から印刷出力可能な印刷デバイスを識別するための印刷デバイス情報及び前記印刷デバイスとの通信を行うための通信情報を含むデバイス情報を記憶し、ユーザからの印刷指示に応じて前記ユーザのユーザ識別情報を含む印刷ジョブを形成するとともに前記デバイス情報を前記印刷デバイスへ送信するクライアント端末送信手段と、前記クライアント端末からの印刷指示に応じて印刷出力を行う複数の印刷デバイスとが、ネットワークを介して接続された印刷システムにおける印刷デバイスの制御方法であって、
前記印刷デバイスは、
前記クライアント端末から送信された印刷ジョブ及びデバイス情報を受信する印刷デバイス情報受信工程と、
前記印刷デバイス情報受信工程によって受信したデバイス情報を前記ユーザ識別情報に対応させて記憶するデバイス情報記憶工程と、
前記印刷デバイス情報受信工程によって受信した印刷ジョブに基づいた印刷実行結果を前記ユーザ識別情報に対応させて記憶する印刷ジョブ記憶工程と、
当該印刷デバイスへのログイン時に、ユーザ識別情報を入力するログインユーザ入力工程と、
前記ログインユーザ入力工程によって入力されたユーザ識別情報に対応する前記デバイス情報記憶工程に記憶されたデバイス情報に従って、前記ユーザ識別情報に対応する印刷実行結果を当該印刷デバイスではない他の印刷デバイスへ要求する印刷実行結果要求工程と、
前記印刷実行結果要求工程によって要求し取得した印刷実行結果と自印刷デバイスの前記印刷ジョブ記憶工程から取得する前記ユーザ識別情報に対応する印刷実行結果と、を集計する集計工程と、
前記集計工程によって集計した印刷実行結果を表示する表示工程と、
を実行することを特徴とする印刷デバイスの制御方法。
【請求項１１】
印刷指示を行うためのクライアント端末と前記クライアント端末からの印刷指示に応じて印刷出力を行う複数の印刷デバイスとが、ネットワークを介して接続された印刷システムにおいて実行されるプログラムであって
前記クライアント端末を、
ユーザを識別するためのユーザ識別情報を入力するための入力手段と、
前記ユーザが前記クライアント端末から印刷出力可能な印刷デバイスを識別するための印刷デバイス情報及び前記印刷デバイスとの通信を行うための通信情報を含むデバイス情報を記憶するクライアントデバイス情報記憶手段と、
前記ユーザからの印刷指示に応じて前記入力手段によって入力されたユーザ識別情報を含む印刷ジョブを形成するとともに前記クライアントデバイス情報記憶手段に記憶されたデバイス情報を前記印刷デバイスへ送信するクライアント端末送信手段として機能させ、
前記印刷デバイスを、
前記クライアント端末送信手段によって送信された印刷ジョブ及びデバイス情報を受信する印刷デバイス情報受信手段と、
前記印刷デバイス情報受信手段によって受信したデバイス情報を前記ユーザ識別情報に対応させて記憶するデバイス情報記憶手段と、
前記印刷デバイス情報受信手段によって受信した印刷ジョブに基づいた印刷実行結果を前記ユーザ識別情報に対応させて記憶する印刷ジョブ記憶手段と、
当該印刷デバイスへのログイン時に、ユーザ識別情報を入力するログインユーザ入力手段と、
前記ログインユーザ入力手段によって入力されたユーザ識別情報に対応する前記デバイス情報記憶手段に記憶されたデバイス情報に従って、前記ユーザ識別情報に対応する印刷実行結果を当該印刷デバイスではない他の印刷デバイスへ要求する印刷実行結果要求手段と、
前記印刷実行結果要求手段によって要求し取得した印刷実行結果と自印刷デバイスの前記印刷ジョブ記憶手段から取得する前記ユーザ識別情報に対応する印刷実行結果と、を集計する集計手段と、
前記集計手段によって集計した印刷実行結果を表示する表示手段として機能させることを特徴とするプログラム。
【請求項１２】
ユーザがクライアント端末から印刷出力可能な印刷デバイスを識別するための印刷デバイス情報及び前記印刷デバイスとの通信を行うための通信情報を含むデバイス情報を記憶し、ユーザからの印刷指示に応じて前記ユーザのユーザ識別情報を含む印刷ジョブを形成するとともに前記デバイス情報を前記印刷デバイスへ送信するクライアント端末送信手段と、前記クライアント端末からの印刷指示に応じて印刷出力を行う複数の印刷デバイスとが、ネットワークを介して接続された印刷システムにおける印刷デバイスにおいて実行されるプログラムであって、
前記印刷デバイスを、
前記クライアント端末から送信された印刷ジョブ及びデバイス情報を受信する印刷デバイス情報受信手段と、
前記印刷デバイス情報受信手段によって受信したデバイス情報を前記ユーザ識別情報に対応させて記憶するデバイス情報記憶手段と、
前記印刷デバイス情報受信手段によって受信した印刷ジョブに基づいた印刷実行結果を前記ユーザ識別情報に対応させて記憶する印刷ジョブ記憶手段と、
当該印刷デバイスへのログイン時に、ユーザ識別情報を入力するログインユーザ入力手段と、
前記ログインユーザ入力手段によって入力されたユーザ識別情報に対応する前記デバイス情報記憶手段に記憶されたデバイス情報に従って、前記ユーザ識別情報に対応する印刷実行結果を当該印刷デバイスではない他の印刷デバイスへ要求する印刷実行結果要求手段と、
前記印刷実行結果要求手段によって要求し取得した印刷実行結果と自印刷デバイスの前記印刷ジョブ記憶手段から取得する前記ユーザ識別情報に対応する印刷実行結果と、を集計する集計手段と、
前記集計手段によって集計した印刷実行結果を表示する表示手段と、
として機能させることを特徴とするプログラム。
【請求項１３】
請求項１１または／及び請求項１２に記載のプログラムを記録したコンピュータで読取り可能な記録媒体。
【手続補正２】
【補正対象書類名】明細書
【補正対象項目名】発明の名称
【補正方法】変更
【補正の内容】
【発明の名称】印刷システム、印刷デバイス、印刷システムの制御方法、印刷デバイスの制御方法、プログラム、及び記録媒体
【手続補正３】
【補正対象書類名】明細書
【補正対象項目名】０００９
【補正方法】変更
【補正の内容】
【０００９】
本発明は、上記の課題を解決するためになされたものであり、ネットワーク上に印刷管理サーバ装置を構築する等の作業を、ユーザが実施することなく、複数の印刷デバイス各々に対して、紙の使用状況の集計をユーザ毎に行うことができる印刷システム、印刷デバイス、印刷システムの制御方法、印刷デバイスの制御方法、プログラム、及び記録媒体を提供することを目的とする。
【手続補正４】
【補正対象書類名】明細書
【補正対象項目名】００１０
【補正方法】変更
【補正の内容】
【００１０】
上記目的を達成するための請求項１記載の印刷システムは、印刷指示を行うためのクライアント端末と前記クライアント端末からの印刷指示に応じて印刷出力を行う複数の印刷デバイスとが、ネットワークを介して接続された印刷システムにおいて、前記クライアント端末は、ユーザを識別するためのユーザ識別情報を入力するための入力手段と、前記ユーザが前記クライアント端末から印刷出力可能な印刷デバイスを識別するための印刷デバイス情報及び前記印刷デバイスとの通信を行うための通信情報を含むデバイス情報を記憶するクライアントデバイス情報記憶手段と、前記ユーザからの印刷指示に応じて前記入力手段によって入力されたユーザ識別情報を含む印刷ジョブを形成するとともに前記クライアントデバイス情報記憶手段に記憶されたデバイス情報を前記印刷デバイスへ送信するクライアント端末送信手段と、を備え、前記印刷デバイスは、前記クライアント端末送信手段によって送信された印刷ジョブ及びデバイス情報を受信する印刷デバイス情報受信手段と、前記印刷デバイス情報受信手段によって受信したデバイス情報を前記ユーザ識別情報に対応させて記憶するデバイス情報記憶手段と、前記印刷デバイス情報受信手段によって受信した印刷ジョブに基づいた印刷実行結果を前記ユーザ識別情報に対応させて記憶する印刷ジョブ記憶手段と、当該印刷デバイスへのログイン時に、ユーザ識別情報を入力するログインユーザ入力手段と、前記ログインユーザ入力手段によって入力されたユーザ識別情報に対応する前記デバイス情報記憶手段に記憶されたデバイス情報に従って、前記ユーザ識別情報に対応する印刷実行結果を当該印刷デバイスではない他の印刷デバイスへ要求する印刷実行結果要求手段と、前記印刷実行結果要求手段によって要求し取得した印刷実行結果と自印刷デバイスの前記印刷ジョブ記憶手段から取得する前記ユーザ識別情報に対応する印刷実行結果と、を集計する集計手段と、前記集計手段によって集計した印刷実行結果を表示する表示手段と、を備えたことを特徴とする印刷システム。
【手続補正５】
【補正対象書類名】明細書
【補正対象項目名】００１１
【補正方法】変更
【補正の内容】
【００１１】
また、本発明における請求項８記載の印刷デバイスは、ユーザがクライアント端末から印刷出力可能な印刷デバイスを識別するための印刷デバイス情報及び前記印刷デバイスとの通信を行うための通信情報を含むデバイス情報を記憶し、ユーザからの印刷指示に応じて前記ユーザのユーザ識別情報を含む印刷ジョブを形成するとともに前記デバイス情報を前記印刷デバイスへ送信するクライアント端末送信手段と、前記クライアント端末からの印刷指示に応じて印刷出力を行う複数の印刷デバイスとが、ネットワークを介して接続された印刷システムにおける印刷デバイスであって、前記印刷デバイスは、前記クライアント端末から送信された印刷ジョブ及びデバイス情報を受信する印刷デバイス情報受信手段と、前記印刷デバイス情報受信手段によって受信したデバイス情報を前記ユーザ識別情報に対応させて記憶するデバイス情報記憶手段と、前記印刷デバイス情報受信手段によって受信した印刷ジョブに基づいた印刷実行結果を前記ユーザ識別情報に対応させて記憶する印刷ジョブ記憶手段と、当該印刷デバイスへのログイン時に、ユーザ識別情報を入力するログインユーザ入力手段と、前記ログインユーザ入力手段によって入力されたユーザ識別情報に対応する前記デバイス情報記憶手段に記憶されたデバイス情報に従って、前記ユーザ識別情報に対応する印刷実行結果を当該印刷デバイスではない他の印刷デバイスへ要求する印刷実行結果要求手段と、前記印刷実行結果要求手段によって要求し取得した印刷実行結果と自印刷デバイスの前記印刷ジョブ記憶手段から取得する前記ユーザ識別情報に対応する印刷実行結果と、を集計する集計手段と、前記集計手段によって集計した印刷実行結果を表示する表示手段と、を備えたことを特徴とする。
【手続補正６】
【補正対象書類名】明細書
【補正対象項目名】００１２
【補正方法】変更
【補正の内容】
【００１２】
また、本発明における請求項９記載の印刷システムの制御方法は、印刷指示を行うと共に、ユーザがクライアント端末から印刷出力可能な印刷デバイスを識別するための印刷デバイス情報及び前記印刷デバイスとの通信を行うための通信情報を含むデバイス情報を記憶するデバイス情報記憶手段を備えた前記クライアント端末と前記クライアント端末からの印刷指示に応じて印刷出力を行う複数の印刷デバイスとが、ネットワークを介して接続された印刷システムの制御方法において、前記クライアント端末は、ユーザを識別するためのユーザ識別情報を入力するための入力工程と、前記ユーザからの印刷指示に応じて前記入力工程によって入力されたユーザ識別情報を含む印刷ジョブを形成するとともに前記デバイス情報記憶手段に記憶されたデバイス情報を前記印刷デバイスへ送信するクライアント端末送信工程と、を実行し、前記印刷デバイスは、前記クライアント端末送信工程によって送信された印刷ジョブ及びデバイス情報を受信する印刷デバイス情報受信工程と、前記印刷デバイス情報受信工程によって受信したデバイス情報を前記ユーザ識別情報に対応させて記憶するデバイス情報記憶工程と、前記印刷デバイス情報受信工程によって受信した印刷ジョブに基づいた印刷実行結果を前記ユーザ識別情報に対応させて記憶する印刷ジョブ記憶工程と、当該印刷デバイスへのログイン時に、ユーザ識別情報を入力するログインユーザ入力工程と、前記ログインユーザ入力工程によって入力されたユーザ識別情報に対応する前記デバイス情報記憶工程に記憶されたデバイス情報に従って、前記ユーザ識別情報に対応する印刷実行結果を当該印刷デバイスではない他の印刷デバイスへ要求する印刷実行結果要求工程と、前記印刷実行結果要求工程によって要求し取得した印刷実行結果と自印刷デバイスの前記印刷ジョブ記憶工程から取得する前記ユーザ識別情報に対応する印刷実行結果と、を集計する集計工程と、前記集計工程によって集計した印刷実行結果を表示する表示工程と、を実行することを特徴とする。
【手続補正７】
【補正対象書類名】明細書
【補正対象項目名】００１３
【補正方法】変更
【補正の内容】
【００１３】
また、本発明における請求項１０記載の印刷デバイスの制御方法は、ユーザがクライアント端末から印刷出力可能な印刷デバイスを識別するための印刷デバイス情報及び前記印刷デバイスとの通信を行うための通信情報を含むデバイス情報を記憶し、ユーザからの印刷指示に応じて前記ユーザのユーザ識別情報を含む印刷ジョブを形成するとともに前記デバイス情報を前記印刷デバイスへ送信するクライアント端末送信手段と、前記クライアント端末からの印刷指示に応じて印刷出力を行う複数の印刷デバイスとが、ネットワークを介して接続された印刷システムにおける印刷デバイスの制御方法であって、前記印刷デバイスは、前記クライアント端末から送信された印刷ジョブ及びデバイス情報を受信する印刷デバイス情報受信工程と、前記印刷デバイス情報受信工程によって受信したデバイス情報を前記ユーザ識別情報に対応させて記憶するデバイス情報記憶工程と、前記印刷デバイス情報受信工程によって受信した印刷ジョブに基づいた印刷実行結果を前記ユーザ識別情報に対応させて記憶する印刷ジョブ記憶工程と、当該印刷デバイスへのログイン時に、ユーザ識別情報を入力するログインユーザ入力工程と、前記ログインユーザ入力工程によって入力されたユーザ識別情報に対応する前記デバイス情報記憶工程に記憶されたデバイス情報に従って、前記ユーザ識別情報に対応する印刷実行結果を当該印刷デバイスではない他の印刷デバイスへ要求する印刷実行結果要求工程と、前記印刷実行結果要求工程によって要求し取得した印刷実行結果と自印刷デバイスの前記印刷ジョブ記憶工程から取得する前記ユーザ識別情報に対応する印刷実行結果と、を集計する集計工程と、前記集計工程によって集計した印刷実行結果を表示する表示工程と、を実行することを特徴とする。
【手続補正８】
【補正対象書類名】明細書
【補正対象項目名】００１４
【補正方法】変更
【補正の内容】
【００１４】
また、本発明における請求項１１記載のプログラムは、印刷指示を行うためのクライアント端末と前記クライアント端末からの印刷指示に応じて印刷出力を行う複数の印刷デバイスとが、ネットワークを介して接続された印刷システムにおいて実行されるプログラムであって、前記クライアント端末を、ユーザを識別するためのユーザ識別情報を入力するための入力手段と、前記ユーザが前記クライアント端末から印刷出力可能な印刷デバイスを識別するための印刷デバイス情報及び前記印刷デバイスとの通信を行うための通信情報を含むデバイス情報を記憶するクライアントデバイス情報記憶手段と、前記ユーザからの印刷指示に応じて前記入力手段によって入力されたユーザ識別情報を含む印刷ジョブを形成するとともに前記クライアントデバイス情報記憶手段に記憶されたデバイス情報を前記印刷デバイスへ送信するクライアント端末送信手段として機能させ、前記印刷デバイスを、  前記クライアント端末送信手段によって送信された印刷ジョブ及びデバイス情報を受信する印刷デバイス情報受信手段と、前記印刷デバイス情報受信手段によって受信したデバイス情報を前記ユーザ識別情報に対応させて記憶するデバイス情報記憶手段と、前記印刷デバイス情報受信手段によって受信した印刷ジョブに基づいた印刷実行結果を前記ユーザ識別情報に対応させて記憶する印刷ジョブ記憶手段と、当該印刷デバイスへのログイン時に、ユーザ識別情報を入力するログインユーザ入力手段と、前記ログインユーザ入力手段によって入力されたユーザ識別情報に対応する前記デバイス情報記憶手段に記憶されたデバイス情報に従って、前記ユーザ識別情報に対応する印刷実行結果を当該印刷デバイスではない他の印刷デバイスへ要求する印刷実行結果要求手段と、前記印刷実行結果要求手段によって要求し取得した印刷実行結果と自印刷デバイスの前記印刷ジョブ記憶手段から取得する前記ユーザ識別情報に対応する印刷実行結果と、を集計する集計手段と、前記集計手段によって集計した印刷実行結果を表示する表示手段として機能させることを特徴とする。
【手続補正９】
【補正対象書類名】明細書
【補正対象項目名】００１５
【補正方法】変更
【補正の内容】
【００１５】
また、本発明における請求項１２記載のプログラムは、ユーザがクライアント端末から印刷出力可能な印刷デバイスを識別するための印刷デバイス情報及び前記印刷デバイスとの通信を行うための通信情報を含むデバイス情報を記憶し、ユーザからの印刷指示に応じて前記ユーザのユーザ識別情報を含む印刷ジョブを形成するとともに前記デバイス情報を前記印刷デバイスへ送信するクライアント端末送信手段と、前記クライアント端末からの印刷指示に応じて印刷出力を行う複数の印刷デバイスとが、ネットワークを介して接続された印刷システムにおける印刷デバイスにおいて実行されるプログラムであって、前記印刷デバイスを、前記クライアント端末から送信された印刷ジョブ及びデバイス情報を受信する印刷デバイス情報受信手段と、前記印刷デバイス情報受信手段によって受信したデバイス情報を前記ユーザ識別情報に対応させて記憶するデバイス情報記憶手段と、前記印刷デバイス情報受信手段によって受信した印刷ジョブに基づいた印刷実行結果を前記ユーザ識別情報に対応させて記憶する印刷ジョブ記憶手段と、当該印刷デバイスへのログイン時に、ユーザ識別情報を入力するログインユーザ入力手段と、前記ログインユーザ入力手段によって入力されたユーザ識別情報に対応する前記デバイス情報記憶手段に記憶されたデバイス情報に従って、前記ユーザ識別情報に対応する印刷実行結果を当該印刷デバイスではない他の印刷デバイスへ要求する印刷実行結果要求手段と、前記印刷実行結果要求手段によって要求し取得した印刷実行結果と自印刷デバイスの前記印刷ジョブ記憶手段から取得する前記ユーザ識別情報に対応する印刷実行結果と、を集計する集計手段と、前記集計手段によって集計した印刷実行結果を表示する表示手段と、として機能させることを特徴とする。
【手続補正１０】
【補正対象書類名】明細書
【補正対象項目名】００１６
【補正方法】変更
【補正の内容】
【００１６】
更に、本発明における請求項１３記載の記録媒体は、請求項１１または／及び請求項１２に記載のプログラムを記録したコンピュータで読取り可能な記録媒体である。